【手続補正書】
【提出日】平成15年4月28日(2003.4.28)
【手続補正１】
【補正対象書類名】明細書
【補正対象項目名】特許請求の範囲
【補正方法】変更
【補正の内容】
【特許請求の範囲】
【請求項１】
商品コードリーダにより判読された商品コードに基づいて価格決定するシステムにおいて流通期間の経過時間によって商品価格を変更して決定する方法であって、
（ａ） 記憶手段に多種の商品に対して流通期限までの経過期間別割引率を記憶する段階と、
（ｂ）所定の商品に付着または印刷されている商品コードから前記商品コードリーダにより判読された商品情報及び製造時期情報を取得する段階と、
（ｃ） 前記製造時期情報に基づいて経過期間を算出する段階と、
（ｄ） 前記所定の商品について前記算出された経過期間に対応する前記経過期間別割引率を適用して販売価格を決定する段階と、を含むことを特徴とする商品の流通期間に基づいた商品価格決定方法。
【請求項２】
商品コードリーダにより判読された商品コードに基づいて価格決定するシステムにおいて流通期間の経過時間によって商品価格を変更して決定する方法であって、
（ａ） 通信網を通じて接続されている外部装置から、多種の商品に関する流通期限までの経過期間別割引率を受信する段階と、
（ｂ） 所定の商品に付着または印刷されている商品コードから前記商品コードリーダにより判読された商品情報及び製造時期情報を取得する段階と、
（ｃ） 前記製造時期情報に基づいて経過期間を算出する段階と、
（ｄ） 前記所定の商品について算出された経過期間に対応する前記外部装置から受信された経過期間別割引率を適用して販売価格を決定する段階と、を含むことを特徴とする商品の流通期間に基づいた商品価格決定方法。
【請求項３】
前記製造時期情報は、前記所定の商品の製造年月日を含むことを特徴とする請求項１または２に記載の商品の流通期間に基づいた商品価格決定方法。
【請求項４】
前記製造時期情報は、前記所定の商品の製造時間及び製造曜日のうち少なくとも何れか１つを含むことを特徴とする請求項１または２に記載の商品の流通期間に基づいた商品価格決定方法。
【請求項５】
前記段階（ｃ）は、
前記商品コードの認識時点を把握する段階と、
前記認識時点及び前記製造時期情報に基づいて前記経過期間を算出する段階と、を含むことを特徴とする請求項１または２に記載の商品の流通期間に基づいた商品価格決定方法。
【請求項６】
前記段階（ｄ）は、
（ｄ１） 前記商品情報から前記所定の商品を把握する段階と、
（ｄ２） 多種の商品に対して流通期限までの経過期間別に予め定められた割引率から、前記把握された商品及び前記算出された経過期間に対応する割引率を抽出する段階と、
（ｄ３） 前記商品情報から把握された前記商品価格に前記抽出された割引率を適用して販売価格を決定する段階と、を含むことを特徴とする請求項１または２に記載の商品の流通期間に基づいた商品価格決定方法。
【請求項７】
通信網を通じて接続されている顧客端末機に前記商品情報、前記経過期間、及び前記販売価格を含む販売商品情報を伝送する段階（ｅ）をさらに含むことを特徴とする請求項１または２に記載の商品の流通期間に基づいた商品価格決定方法。
【請求項８】
前記販売商品情報は、前記商品コードが付着された商品を撮影した画像をさらに含むことを特徴とする請求項７に記載の商品の流通期間に基づいた商品価格決定方法。
【請求項９】
前記顧客端末機から前記販売商品情報に含まれている商品に関する購買要請を受信する段階（ｆ）をさらに含むことを特徴とする請求項７に記載の商品の流通期間に基づいた商品価格決定方法。
【請求項１０】
同じ商品に対する前記段階（ｆ）で受信された購買要請が販売数量を超える場合に購買希望価格、購買要請時間、及び返品が可能であるか否かのうち少なくとも１つを含む購買者決定条件により購買者を決定する段階（ｇ）をさらに含むことを特徴とする請求項９に記載の商品の流通期間に基づいた商品価格決定方法。
【請求項１１】
前記段階（ｃ）で算出された経過期間が前記商品の流通可能期間を超えれば前記商品を廃棄対象と分類することを特徴とする請求項１または２に記載の商品の流通期間に基づいた商品価格決定方法。
【請求項１２】
前記商品コードは、前記商品情報が記録される第１情報コード及び前記製造時期情報が記録される第２情報コードよりなり、前記第２情報コードは前記第１情報コードと一体として商品に付着または印刷されるか、あるいは前記第１情報領域と分離されて前記商品に付着または印刷されることを特徴とする請求項１または２に記載の商品の流通期間に基づいた商品価格決定方法。
【請求項１３】
通信網を通じて接続されている顧客端末機から予約購買要請を受信する段階（ｈ）と、
前記顧客端末機に前記販売価格を周期的に伝送する段階（ｉ）と、を含むことを特徴とする請求項１または２に記載の商品の流通期間に基づいた商品価格決定方法。
【請求項１４】
前記商品コードはバーコード、非接触式ＩＣカードに記憶されているコード、無線タグに記録されているコードのうち何れか１つであることを特徴とする請求項１または２に記載の商品の流通期間に基づいた商品価格決定方法。
【請求項１５】
商品に付着されている商品コードを認識して商品情報及び製造時期情報を判読する商品コード判読手段と、
多種の商品について流通期限までの経過期間別割引率を記憶する記憶手段と、
前記製造時期情報に基づいて経過期間を算出し、前記商品情報から把握された商品に対して前記記憶手段に記憶されている経過期間別割引率を適用して販売価格を決定する価格決定手段と、を含むことを特徴とする商品の流通期間に基づいた商品価格決定システム。
【請求項１６】
商品コード判読器により商品に付着されている商品コードから判読された商品情報及び製造時期情報を入力されると、前記製造時期情報に基づいて経過期間を算出して前記商品情報から把握された商品に対して前記算出された経過期間に対応する経過期間別割引率を適用して販売価格を決定する価格決定手段と、
多種の商品に対して流通期限までの前記経過期間別割引率を記憶する記憶手段と、
通信網を通じて接続されている前記販売価格決定手段に前記経過期間別割引率を伝送するサーバーと、を含むことを特徴とする商品の流通期間に基づいた商品価格決定システム。
【請求項１７】
前記製造時期情報は、前記所定商品の製造年月日を含むことを特徴とする請求項１５または１６に記載の商品の流通期間に基づいた商品価格決定システム。
【請求項１８】
前記製造時期情報は、前記所定の商品の製造時間及び製造曜日のうち少なくとも１つを含むことを特徴とする請求項１５または１６に記載の商品の流通期間に基づいた商品価格決定システム。
【請求項１９】
通信網を通じて接続されている顧客端末機へ前記商品情報、前記経過期間、及び前記販売価格を含む販売商品情報を伝送する伝送手段をさらに含むことを特徴とする請求項１５または１６に記載の商品の流通期間に基づいた商品価格決定システム。
【請求項２０】
前記販売商品情報は、前記商品コードが付着された商品を撮影した画像をさらに含むことを特徴とする請求項１９に記載の商品の流通期間に基づいた商品価格決定システム。
【請求項２１】
前記所定の商品の新鮮度、糖度、塩度及び水分含有度のうち少なくとも１つを感知して感知結果を提供する第１感知手段をさらに含むことを特徴とする請求項１５または１６に記載の商品の流通期間に基づいた商品価格決定システム。
【請求項２２】
前記所定の商品が陳列される地点に設けられて所定距離内に存在する人体を感知する第２感知手段と、
前記第２感知手段が人体を感知すると所定の商品情報を出力する出力手段と、をさらに含むことを特徴とする請求項１５または１６に記載の商品の流通期間に基づいた商品価格決定システム。
【請求項２３】
前記価格決定手段は、前記算出された経過期間が前記所定の商品の流通可能期間を超えると、前記所定の商品を廃棄対象と分類することを特徴とする請求項１５または１６に記載の商品の流通期間に基づいた商品価格決定システム。
【請求項２４】
前記商品コードは、前記商品情報が記録される第１情報コード及び前記製造時期情報が記録される第２情報コードよりなり、前記第２情報コードは前記第１情報コードと一体として商品に付着または印刷されるか、あるいは前記第１情報領域と分離されて前記商品に付着または印刷されることを特徴とする請求項１５または１６に記載の商品の流通期間に基づいた商品価格決定システム。
【請求項２５】
前記商品コードは、バーコード、非接触式ＩＣカードに記憶されているコード、無線タグに記録されているコードのうち何れか１つであることを特徴とする請求項１５または１６に記載の商品の流通期間に基づいた商品価格決定システム。
【請求項２６】
商品情報が記録される第１情報コードと、
前記第１情報コードと一体として商品に付着または印刷されるか、あるいは前記第１情報コードと分離されて前記商品に付着または印刷され、前記商品情報に含まれている商品価格に関する割引率を経時的に決定して前記商品の販売価格の決定に使われる時間情報が記録される第２情報コードと、を含むことを特徴とする商品コード。
【請求項２７】
前記第１情報コード及び前記第２情報コードは、バーコード、非接触式ＩＣカードに記憶されているコード、無線タグに記録されているコードのうち何れか１つであることを特徴とする請求項２６に記載の商品コード。
【請求項２８】
前記時間情報は前記商品の製造年月日を含むことを特徴とする請求項２６に記載の商品コード。
【請求項２９】
前記時間情報は前記商品の製造時刻及び製造曜日のうち少なくとも１つを含むことを特徴とする請求項２６に記載の商品コード。
【請求項３０】
前記時間情報が人により認識可能な形で記録される第１情報記録領域をさらに含むことを特徴とする請求項２６に記載の商品コード。
【請求項３１】
前記商品の保管方法または保管場所が記録される第２情報記録領域をさらに含むことを特徴とする請求項２６または３０に記載の商品コード。
【請求項３２】
前記第２情報コードは、インクジェット印刷方法、熱転写印刷方法及び感熱印刷方法のうち何れか１つの方法で印刷されることを特徴とする請求項２６に記載の商品コード。